(57)【要約】【課題】棚板の脱落防止機能を備えた係止具は、ストパー部を付加するため、前後左右共用できず部品の種類が多くなり、さらに使用する棚板の厚み寸法が異なるとそれに対応するため、さらなる部品の種類と金型費用の増加が発生するという課題がある。【解決手段】キャビネット５の左右側板内面５ａに前後一対かつ上下に複数段設けた棚受穴５ｂに装着し、棚板４を上下任意の位置に可動設置できる棚板４の係止具で、キャビネットの棚受穴５ｂに装着し棚板４を載置する係止具本体１と、棚板４の上方及び前後方向への移動を規制するストッパー部材３との少なくとも２個の部材より成る構成にすることにより、部品の種類を減らし、金型等の費用を減少することができる。【選択図】　図５
2004121545.tif 000002
【特許請求の範囲】
【請求項１】
キャビネットの左右側板内面に前後一対かつ上下に複数段設けた棚受穴に装着し、棚板を上下任意の位置に可動設置できる棚板の係止具で、キャビネットの棚受穴に装着し棚板を載置する係止具本体と、棚板の上方及び前後方向への移動を規制するストッパー部材との少なくとも２個の部材より成ることを特徴とする棚板の係止具。
【請求項２】
係止具本体は左右対称形状としたことを特徴とする請求項１記載の棚板の係止具。
【請求項３】
ストッパー部材は左右対称形状としたことを特徴とする請求項１または２記載の棚板の係止具。
【請求項４】
係止具本体に着脱自在に係合するストッパー部材を有することを特徴とする請求項１〜３記載の棚板の係止具。
【請求項５】
ストッパー部材の少なくとも一部に弾性部を備え、係止具本体と弾性的に嵌合することを特徴とする請求項１〜４記載の棚板の係止具
【請求項６】
係止具に棚板を載置した状態で、係止具が棚受穴から抜けることを防止する抜け防止手段を備えたことを特徴とする請求項１〜５記載の棚板の係止具。
【請求項７】
１種類の係止具本体あるいはストッパー部材と、棚板の厚さに対応した複数種類のストッパー部材あるいは係止具本体との選択組合せが可能なことを特徴とする請求項１〜６記載の棚板の係止具。
【請求項８】
ストッパー部材と係止具本体とが、複数の位置で組合せ可能な構成とし、複数の棚板の厚さに対応できるようにしたことを特徴とする請求項１〜６記載の棚板の係止具。
【請求項９】
内側に前後一対かつ上下に複数段の棚受穴を設けた左右一対の側板を少なくとも有するとともに請求項１〜８のいずれか１項記載の棚板の係止具を前記棚受穴に装着したキャビネットであって、後側には係止具本体のみを装着し、前側には係止具本体とストッパー部材とを装着して、棚板を保持したことを特徴とするキャビネット。
【発明の詳細な説明】
【０００１】
【発明の属する技術分野】
本発明は家具等の棚板の保持に使用する棚受けに関するものである。
【０００２】
【従来の技術】
従来の棚板の係止具は、図１０に示すように、手前開放部では棚板の上下と手前への脱落を左右１対の係止具でおこない、後方閉部では棚板上下と後方を挟み込むコの字型を形成した左右１対の係止具で棚板の固定をするようにようになっていた（例えば、特許文献１参照）。
【０００３】
【特許文献１】
特開２００１−０４６１５８号公報（第２図）
【０００４】
【発明が解決しようとする課題】
しかしながら上記従来の棚板の係止具では、前方のものと後方のもので全く異なった形状となり、さらにそれぞれに左右対称の別形状をした係止具が必要となる。また、挟み込む棚板の厚み寸法が異なると、その寸法に対応する係止具及びそれを作る金型が左右前後それぞれに必要となり、それを防止するためには棚板の構造変更が必要となるという課題があった。
【０００５】
【課題を解決するための手段】
本発明は上記課題を解決するため、キャビネットの左右側板内面に前後一対かつ上下に複数段設けた棚受穴に装着し、棚板を上下任意の位置に可動設置できる棚板の係止具で、キャビネットの棚受穴に装着し棚板を載置する係止具本体と、棚板の上方及び前後方向への移動を規制するストッパー部材との少なくとも２個の部材より成ることを特徴とする棚板の係止具。
【０００６】
上記発明によれば、棚板を載置する係止具本体と棚板の移動を規制するストッパー部材とを個別に製作して組み合わせて使用することにより、従来の係止具のように棚板の前後上下への脱落を防ぐことが可能であり、且つ係止具の本体部及びストッパー部材が前後あるいは左右共用にできるため、部品種類が係止具の本体部とそれに着脱するストッパーのみの２種類だけ（従来は４種類）で少なく済む。さらに使用する棚板の厚み寸法が異なっても、最悪の場合でも変更は係止具本体あるいはストッパー部材１個のみで、それに費やす金型費用や部品種類数の増加も少なく、対応が容易にできるようになる。
【０００７】
【発明の実施の形態】
本発明の請求項１にかかる棚板の係止具は、キャビネットの左右側板内面に前後一対かつ上下に複数段設けた棚受穴に装着し、棚板を上下任意の位置に可動設置できる棚板の係止具で、キャビネットの棚受穴に装着し棚板を載置する係止具本体と、棚板の上方及び前後方向への移動を規制するストッパー部材との少なくとも２個の部材より成ることを特徴とする。
【０００８】
そして、棚板を載置する係止具本体と棚板の移動を規制するストッパー部材とを個別に製作して組み合わせて使用することにより、従来の係止具と同様に棚板の前後上下への脱落を防ぐことが可能であり、且つ係止具本体及びストッパー部材が前後あるいは左右共用にできるため、部品の種類が係止具本体とそれに着脱するストッパー部材のみの２種類だけですむため、部品が標準化できるようになる。
【０００９】
本発明の請求項２にかかる棚板の係止具は、係止具本体は左右対称形状としたことにより、前後左右共用にできるため、係止具本体は１種類のみで全ての場所での使用が可能になるため、さらに部品が標準化できるようになる。
【００１０】
本発明の請求項３にかかる棚板の係止具は、ストッパー部材を左右対称形状としたことにより、前後左右共用できるため、さらに部品が標準化できるようになる。
【００１１】
本発明の請求項４にかかる棚板の係止具は、係止具本体に着脱自在に係合するストッパー部材を有することを特徴とすることにより、同一の係止具本体を使いながら、ストッパー部材を使ってストッパーの必要の有無を使い分けすることが可能になる。
【００１２】
本発明の請求項５にかかる棚板の係止具は、ストッパー部材の少なくとも一部に弾性部を備え、係止具本体と弾性的に嵌合することを特徴とすることにより、係止具本体からのストッパー部材の着脱を容易にして、棚板の着脱を簡単にできるようにしたものである。
【００１３】
本発明の請求項６にかかる棚板の係止具は、棚板の係止具に棚板を載置した状態で、棚板の係止具が棚受穴から抜けることを防止する抜け防止手段を備えたことにより、使用中に棚板の係止具が抜け落ち、棚板が落下することがないので、安全性が向上する。
【００１４】
本発明の請求項７にかかる棚板の係止具は、１種類の係止具本体あるいはストパー部材と、棚板の厚さに対応した複数種類のストッパー部材あるいは係止具本体との選択組合せが可能にすることにより、使用する棚板の厚み寸法が異なっても、変更は係止具本体あるいはストパー部材のどちらか一方のみの変更でよく、それに費やす金型費用や部品種類数の増加も少なく、対応が容易にできるようになる。
【００１５】
本発明の請求項８にかかる棚板の係止具は、ストッパー部材と係止具本体とが、複数の位置で組合せ可能な構成とし、複数の棚板の厚さに対応できるようにしたことにより、使用する棚板の厚み寸法が異なっても、係止具本体に係合するストッパー部材の位置を変更するのみでよく、使用途中で厚さの異なる棚板に変更する場合でも容易に対応することができる。また、係止具本体とストッパー部材はそれぞれ１種類のみで複数の厚さの棚板に対応できるため、金型費用や部品種類数の増加の必要がなく、コスト的な効果も大である。
【００１６】
本発明の請求項９にかかるキャビネットは、内側に前後一対かつ上下に複数段の棚受穴を設けた左右一対の側板を少なくとも有するとともに請求項１〜８のいずれか１項記載の棚板の係止具を前記棚受穴に装着したキャビネットであって、後側には係止具本体のみを装着し、前側には係止具本体とストッパー部材とを装着して、棚板を保持したことにより、棚板の脱落がなく安全で使い勝手の良いキャビネットを提供することができ、かつ部品を共用化したシンプルな構造で安価なキャビネットが提供できるという効果がある。
【００１７】
【実施例】
以下、本発明の実施例について図面を用いて説明する。
【００１８】
（実施例１）
図１は本発明の実施例１における使用状態を示す側面からの断面図で、図２は使用状態の示す正面からの断面図で、図３は係止具本体を示す斜視図で、図４はストッパー部材を示す斜視図で、図５は手前開放で後方を閉塞したキャビネットに、係止具を使用し棚板を装着した例を示す斜視図である。
【００１９】
図１〜図５において、１は係止具本体で樹脂や金属等の成型材料で一体に略長方形に成型され、背面には金属製等の強度のある円柱状のピン２が突設されており、上面１ａ後部には上方に突出した抜け防止片１ｂが一体に形成され、上面１ａには左右対称の位置に溝状の係合溝１ｃが２個形成されており、下面には左右対称の位置に溝状の嵌合溝１ｄが形成されている。
【００２０】
３は樹脂等の弾性を有する材料で形成された略Ｆ字形断面のストッパー部材で、上部には略水平に屈曲した棚板保持片３ａが形成され、中央部には先端部が下方に垂下した係合片３ｂが形成され、下部には先端部に上向きの突起を有する嵌合片３ｃが形成されている。
【００２１】
前記係合片３ｂと前記係合溝１ｃは係合可能な寸法であり、前記嵌合片３ｃと前記嵌合溝１ｄは嵌合可能な寸法になっている。
【００２２】
４は棚板で、５は前面開口のキャビネットで両側板内面５ａには前記係止具本体１のピン２が挿入可能な棚受穴５ｂが左右対称に前後に複数個配設されている。
【００２３】
次に動作、作用について説明すると、キャビネットの両側板内面５ａに設けられた前後の棚受穴５ｂに４個の係止具本体１のピン２を挿入して取り付ける。前方左右の２個は係止具本体１のみを、後方左右の２個は係止具本体１にはあらかじめストッパー部材３を係合しておく。
【００２４】
係合方法は斜め上方向から係止具本体１の係合溝１ｃにストッパー部材３の係合片３ｂを挿入し、ストパー部材３の下部を係止具本体１に押しつけると、ストッパー部材３の弾性によりストパー部材が変形し、嵌合溝１ｄに嵌合片３ｃを嵌合させることができ、ストパー部材３と係止具本体１は容易に外れないように係合される。
【００２５】
棚板４の後端部を手前より後方の係止具本体１の上面１ａとストッパー部材３の棚板保持片３ａの間に差し込み、前端部を係止具本体１の上面１ａに載置し、次に前方の係止具本体１にストッパー部材３を前記と同様な方法で取り付ける。
【００２６】
上記のように係止具本体１に載置した棚板４はストパー部材３により、上方および前後方向への移動を規制されるため、容易に脱落することがなく安全に使用することができる。
【００２７】
また、棚板４を係止具本体１に載置した状態において、図２に示すように係止具本体１上部の抜け防止片１ｂはキャビネット５の側板内面５ａと棚板４の側面との間に挟まれた状態で設置されており、棚板４を取り外さない限り係止具本体１のピン２は棚受穴５ａから抜けない構造となっており、使用中に係止具が抜け落ち棚板４が落下するという危険性はなく、この点でも安全性が高い。
【００２８】
以上のように、本実施例においては左右対称形状の係止具本体１とストパー部材２を組み合わせて使用することにより、少ない種類の部材で前後左右全ての場所での使用が可能であり、棚板の脱落を防止し安全で使用勝手の良い家具等の係止具を安価に提供することができる。
【００２９】
また、本実施例においては、係止具本体とピンは別部品の構成としたが、強度等の問題がない場合は一体で成形することによりコスト削減を図ることが可能である。
【００３０】
（実施例２）
図６は本発明の第２の実施例における薄い棚板を使用した状態を示す側面から見た断面図で、図７は厚い棚板を使用した状態を示す側面から見た断面図で、図８は係止具本体を示す斜視図で、図９はストッパー部材を示す斜視図を示すものである。
【００３１】
図６〜図９において、係止具本体１の背面には金属製等の強度のある円柱状のピン２が突設されており、上面１ａ後部には上方に突出した抜け防止片１ｂが一体に形成され、上面１ａには左右対称の位置に溝状の係合溝１ｃが２個形成されており、両側面には左右対称の位置に上下に２個の溝状の固定溝１ｅが形成されている。
【００３２】
３は樹脂等の弾性を有する材料で形成された略Ｆ字形断面のストッパー部材で、上部には略水平に屈曲した棚板保持片３ａが形成され、中央部には先端部が下方に垂下した係合片３ｂが形成され、下部には水平に突出した固定片３ｄが形成されている。
【００３３】
前記係合片３ｂと前記係合溝１ｃは係合可能な寸法であり、前記固定片３ｄと前記固定溝１ｅは嵌合可能な寸法になっている。
【００３４】
なお、実施例１と同一符号の物は同一構造を有し、説明は省略する。
【００３５】
次に動作、作用について説明すると、係止具本体１とストパー部材３との係合方法に関して実施例１と異なる点は、斜め上方向から係止具本体１の係合溝１ｃにストッパー部材３の係合片３ｂを挿入した後、ストパー部材３の下部にある固定片３ｄを係止具本体１側面に配設された上下２個の固定溝１ｅのうち、薄い棚板４ａの場合は図６に示すように下側の固定溝１ｅに挿入し、厚い棚板４ｂの場合は図７に示すように上側の固定溝１ｅに挿入して固定することにより、ストパー部材３と係止具本体１は容易に外れないように係合される。
【００３６】
以上のように、本実施例においては、係止具本体に上下２個の固定溝を設けることにより、同一のストパー部材で２種類の厚さの棚板に対応することが可能になり、使用範囲が拡大するとともに、少ない種類の部品で広い範囲に対応できるため、部品製作に掛かる費用の削減が可能となり、安全で使い勝手の良い係止具を安価に提供することができるようになる。
【００３７】
本実施例においては、固定溝を上下２個配設したが、数を増やすことにより、厚さの違う棚板への対応幅を拡大することが可能である。
【００３８】
また、本実施例においては、固定溝を上下２個配設したが、１個の固定溝に対し、ストパー部材３の固定片を複数個配設することにより同様の効果を得ることができる。
【００３９】
【発明の効果】
以上説明したように本発明の棚板の係止具は、棚板を載置する係止具本体と棚板の移動を規制するストッパー部材とを個別に製作して組み合わせて使用することにより、従来の係止具のように棚板の前後上下への脱落を防ぐことが可能であり、且つ係止具の本体部及びストッパー部材が前後あるいは左右共用にできるため、部品種類が係止具の本体部とそれに着脱するストッパー部材のみの２種類部品だけですみ。さらに使用する棚板の厚み寸法が異なっても、最悪の場合でも変更は係止具本体あるいはストッパー部材１個のみで対応できるため、それに費やす金型費用も少なく、対応が容易にできるという効果を奏する。
【図面の簡単な説明】
【図１】本発明の実施例１における使用状態を示す側面からの要部断面図
【図２】同使用状態を示す前面からの要部断面図
【図３】同係止具本体の斜視図
【図４】同ストパー部材の斜視図
【図５】本発明の実施例１のキャビネットへの使用状態を示す斜視図
【図６】本発明の実施例２における薄い棚板使用時を示す側面からの要部断面図
【図７】同厚い棚板使用時を示す側面からの要部断面図
【図８】同係止具本体の斜視図
【図９】同ストパー部材の斜視図
【図１０】従来の棚板の係止具の使用状態を示した斜視図
【符号の説明】
１　係止具本体
３　ストッパー部材
４　棚板
５　キャビネット
５ａ　側板内面
５ｂ　棚受穴
【図１】
2004121545.tif 000003
【図２】
2004121545.tif 000004
【図３】
2004121545.tif 000005
【図４】
2004121545.tif 000006
【図５】
2004121545.tif 000007
【図６】
2004121545.tif 000008
【図７】
2004121545.tif 000009
【図８】
2004121545.tif 000010
【図９】
2004121545.tif 000011
【図１０】
2004121545.tif 000012